(57)【要約】【課題】  簡単な構成で壊れ物を収納した収納容器を支持することのできる壊れ物運搬容器を提供する。【解決手段】  複数の壊れ物それぞれを収納可能な複数の収納室と、これら収納室のうち互いに隣り合う収納室を連結する連結部とを有する収納容器と、収納容器を支持する支持部材と、収納容器及び支持部材が収納される外装容器とを備え、支持部材は、外装容器の底面に対して略直交する方向に延び、収納容器の連結部及び連結部によって連結される２つの収納室の側壁に先端側で当接する当接部を有する。【選択図】  図１
2006298393.tif 000002
【特許請求の範囲】
【請求項１】
複数の壊れ物それぞれを収納可能な複数の収納室と、これら収納室のうち互いに隣り合う収納室を連結する連結部とを有する収納容器と、
該収納容器を支持する支持部材と、
前記収納容器及び前記支持部材が収納される外装容器とを備え、
前記支持部材は、前記外装容器の底面に対して略直交する方向に延び、前記収納容器の連結部及び該連結部によって連結される２つの前記収納室の側壁に先端側で当接する当接部を有することを特徴とする壊れ物運搬容器。
【請求項２】
前記支持部材は、前記当接部での前記連結部との当接によって、前記収納容器を前記外装容器の少なくとも底面から離れた位置で支持することを特徴とする請求項１に記載の壊れ物運搬容器。
【請求項３】
前記支持部材は、前記当接部での前記連結部との当接によって、前記収納容器を前記外装容器の側面から離れた位置で支持することを特徴とする請求項２に記載の壊れ物運搬容器。
【請求項４】
前記支持部材は、前記当接部での前記収納室の側壁との当接によって、前記収納室の並ぶ方向における前記収納容器の動きを抑制することを特徴とする請求項１に記載の壊れ物運搬容器。
【請求項５】
前記収納容器を受ける受け部材をさらに備え、
前記受け部材は、前記当接部が貫通し、前記当接部の少なくとも一部と当接可能な穴部を有することを特徴とする請求項１から４のいずれか１つに記載の壊れ物運搬容器。
【請求項６】
前記受け部材は、前記収納容器の少なくとも上下面を覆うことを特徴とする請求項５に記載の壊れ物運搬容器。
【請求項７】
前記穴部は、前記当接部における長手直交面内の形状に応じた形状を有することを特徴とする請求項５に記載の壊れ物運搬容器。
【請求項８】
前記複数の収納室が、第１の方向及び該第１の方向と異なる第２の方向に並んで配置されているとともに、
前記連結部が、前記第１及び第２の方向に延びていることを特徴とする請求項１から７のいずれか１つに記載の壊れ物運搬容器。
【請求項９】
前記複数の収納室が、碁盤目状に配置されていることを特徴とする請求項８に記載の壊れ物運搬容器。
【請求項１０】
前記当接部は、前記第１の方向に延びる第１当接部と、前記第２の方向に延びる第２当接部とを含むことを特徴とする請求項８に記載の壊れ物運搬容器。
【請求項１１】
前記第２当接部を複数有し、これらの第２当接部が前記第１当接部と交差していることを特徴とする請求項１０に記載の壊れ物運搬容器。
【請求項１２】
前記支持部材は、前記外装容器の内側面との当接によって前記外装容器内で位置決めされていることを特徴とする請求項１に記載の壊れ物運搬容器。
【請求項１３】
前記壊れ物が、生卵であることを特徴とする請求項１に記載の壊れ物運搬容器。
【請求項１４】
複数の壊れ物それぞれを収納可能な複数の収納室と、これら収納室のうち互いに隣り合う収納室を連結する連結部とを有する収納容器を支持し、前記収納容器とともに外装容器内に収納される支持部材を備え、
前記支持部材は、前記外装容器の底面に対して略直交する方向に延び、前記収納容器の連結部及び該連結部によって連結される２つの前記収納室の側壁に先端側で当接する当接部を有することを特徴とする壊れ物運搬容器用支持ユニット。
【請求項１５】
前記支持部材は、前記当接部での前記連結部との当接によって、前記収納容器を前記外装容器の少なくとも底面から離れた位置で支持することを特徴とする請求項１４に記載の壊れ物運搬容器用支持ユニット。
【請求項１６】
前記支持部材は、前記当接部での前記連結部との当接によって、前記収納容器を前記外装容器の側面から離れた位置で支持することを特徴とする請求項１５に記載の壊れ物運搬容器用支持ユニット。
【請求項１７】
前記支持部材は、前記当接部での前記収納室の側壁との当接によって、これら収納室の並ぶ方向における前記収納容器の動きを阻止することを特徴とする請求項１４に記載の壊れ物運搬容器用支持ユニット。
【請求項１８】
前記収納容器を受ける受け部材をさらに備え、
前記受け部材は、前記当接部が貫通し、前記当接部の少なくとも一部と当接可能な穴部を有することを特徴とする請求項１４から１７のいずれか１つに記載の壊れ物運搬容器用支持ユニット。
【請求項１９】
前記受け部材は、前記収納容器の少なくとも上下面を覆うことを特徴とする請求項１８に記載の壊れ物運搬容器用支持ユニット。
【請求項２０】
前記穴部は、前記当接部における長手直交面内の形状に応じた形状を有することを特徴とする請求項１８に記載の壊れ物運搬容器用支持ユニット。
【請求項２１】
前記複数の収納室が、第１の方向及び該第１の方向と異なる第２の方向に並んで配置されているとともに、
前記連結部が、前記第１及び第２の方向に延びていることを特徴とする請求項１４から２０のいずれか１つに記載の壊れ物運搬容器用支持ユニット。
【請求項２２】
前記複数の収納室が、碁盤目状に配置されていることを特徴とする請求項２１に記載の壊れ物運搬容器用支持ユニット。
【請求項２３】
前記当接部は、前記第１の方向に延びる第１当接部と、前記第２の方向に延びる第２当接部とを含むことを特徴とする請求項２１に記載の壊れ物運搬容器用支持ユニット。
【請求項２４】
前記第２当接部を複数有し、これらの第２当接部が前記第１当接部と交差していることを特徴とする請求項２３に記載の壊れ物運搬容器用支持ユニット。
【請求項２５】
前記支持部材は、前記外装容器の内側面との当接によって前記外装容器内で位置決めされていることを特徴とする請求項１４に記載の壊れ物運搬容器用支持ユニット。
【請求項２６】
前記壊れ物が、生卵であることを特徴とする請求項１４に記載の壊れ物運搬容器用支持ユニット。
【発明の詳細な説明】
【技術分野】
【０００１】
本発明は、生卵等の壊れ物を運搬するために用いられる壊れ物運搬容器および壊れ物運搬容器用支持ユニットに関するものである。
【背景技術】
【０００２】
従来、生卵、創作生菓子、桃といった、外部からの衝撃や圧力により壊れやすく傷付きやすい物品である壊れ物については、壊れ物を衝撃等から保護するために、プラスチックや紙製の収納容器に収納して取り扱われている。
【０００３】
例えば、生卵の場合には、４個、６個、１０個といった単位で、ポリ塩化ビニル、ポリエチレン、ポリプロピレンあるいはポリエチレンテレフタレート（ＰＥＴ）などの透明な合成樹脂シート、又は紙製モールドで形成された収納容器内に収納された状態で取り扱われている。この収納容器は、通常、下受け皿と上蓋とで構成され、１つ１つの生卵を収納可能な収納室が複数設けられている。
【０００４】
ここで、複数の生卵などの壊れ物を収納した収納容器を店舗等に配送する場合には、複数の収納容器を運搬容器内に並べ、この運搬容器を運ぶことによって行われている。例えば、複数の収納容器が収納された運搬容器をトラックや台車等に乗せて運んでいる。
【０００５】
一方、近年、電話注文やインターネットを介した注文による産直が注目され、生産者から直接、消費者に生卵等の壊れ物が配送されるようになっている。この場合には、生卵等の壊れ物が収納された収容容器を、段ボールで形成された運搬箱内に収納し、この運搬箱を消費者宛に配送しているのが一般的である。
【０００６】
しかし、生卵等の壊れ物が収納された収納容器を運搬箱内に直接収納すると、運搬箱に外力が加わったときに、収納容器とともに収納容器内の生卵等の壊れ物が傷付いたり、割れてしまったりすることがあり、問題となっている。特に、生卵等の壊れ物が収納された収納容器を運搬箱内に収納して消費者に直接配送する場合には、配送業者において、他の配送商品と同様に取り扱われ、運搬箱に衝撃等が加わりやすい。
【０００７】
すなわち、上述した消費者に直接配送する場合には、店舗等に配送する場合に比べると、運搬箱が振り回されたりする可能性が高くなる。これに伴い、収納容器が運搬箱の内面に衝突し、収納容器や収納容器内の生卵等の壊れ物が壊れてしまうこともある。
【０００８】
このような運搬時の衝撃を緩和する方法として、例えば、電化製品等を配送する場合には、運搬箱と電化製品との間に、発泡スチロールで形成された緩衝部材を配置している。これにより、運搬箱に外力が加わっても緩衝部材で外力を吸収し、電化製品等に外力が働くのを抑制している。
【０００９】
そこで、生卵等の壊れ物が収納された収納容器を運搬箱内に収納して消費者に配送する場合において、発泡スチロール製緩衝部材を用いることが考えられる。具体的には、発泡スチロール製緩衝部材として、収納容器に当接する側の面を、収納容器の外形（複数の収納室によって形成された凹凸形状）に沿った形状とし、運搬箱に当接する側の面を運搬箱の内面に沿った形状とすることが考えられる。すなわち、生卵等の壊れ物が収納された収納容器及び緩衝部材を運搬箱内に収納した状態において、緩衝部材を収容容器及び運搬箱に当接させることによって、収納容器が運搬箱内で動かないように構成することができる。
【発明の開示】
【発明が解決しようとする課題】
【００１０】
しかしながら、生卵等の壊れ物を運搬する場合には、発泡スチロール製緩衝部材では未だ緩衝効果が不十分な場合がある。さらに、発泡スチロール製緩衝部材を用いた場合には、生卵等の壊れ物が収納された収納容器を運搬箱から取り出した際に、緩衝部材の後処理が面倒になる。すなわち、発泡スチロール製緩衝部材は、かさばってしまうとともに、不燃ゴミとして処理しなければならず環境上においても好ましくない。
【００１１】
しかも、外部からの衝撃は、運搬箱の上下面及び４つの側面（主に側面）に加わるおそれがあるため、運搬箱の６つの面（主に４つの側面）から生卵等の壊れ物が収納された収納容器を覆うように発泡スチロール製緩衝部材を配置しなければならない。この場合には、発泡スチロール製緩衝部材の量又は数が増えてしまい、上述した問題が顕著となる。
【００１２】
また、発泡スチロール製緩衝部材を用いた場合において、運搬箱に対して一時的な外力が加わった場合には、緩衝部材で外力を吸収することが可能となるが、緩衝部材を大きく変形させるような外力が加わった場合や、継続して外力が加わった場合には、緩衝部材の変形によって収納容器や収納容器内の生卵等の壊れ物が傷付いてしまう。
【００１３】
すなわち、上述したように発泡スチロール製緩衝部材は、収納容器及び運搬箱に当接しているため、一時的な外力は緩衝部材で吸収され、収納容器まで到達することはないが、緩衝部材で吸収できない外力が加わった場合には、この外力が緩衝部材の変形を介して収納容器に到達してしまう。上述したように収納容器は合成樹脂シート等で形成されており、容易に変形可能であるため、収納容器に外力が伝われば収納容器内の生卵等の壊れ物にも外力が働き、壊れ物が割れてしまうことにもなる。
【００１４】
さらに、生卵等の壊れ物が収納された収納容器及び発泡スチロール製緩衝部材が収納された運搬箱は、上述したように仕分けや配送の段階において大きく振り回されることも考えられ、このような場合には、収納容器内で生卵等の壊れ物が動き回ることになる。
【００１５】
この場合、上述したように収納容器は発泡スチロール製緩衝部材で覆われているため、生卵等の壊れ物が収納容器を介して発泡スチロール製緩衝部材に衝突することも考えられる。この場合、発泡スチロール製緩衝部材に衝突するだけで、生卵が割れてしまうおそれもある。
【００１６】
そこで、本発明は、上述した課題を解決するために、壊れ物を収納する収納容器を簡単な構成で支持し、生卵等の壊れ物に対して働く外力を効率良く抑制・緩和することができる壊れ物運搬容器、並びにこれに用いる壊れ物収納容器用支持ユニットを提供することを目的とする。
【課題を解決するための手段】
【００１７】
本発明の壊れ物運搬容器は、複数の壊れ物それぞれを収納可能な複数の収納室と、これら収納室のうち互いに隣り合う収納室を連結する連結部とを有する収納容器と、収納容器を支持する支持部材と、収納容器及び支持部材が収納される外装容器とを備え、支持部材は、外装容器の底面に対して略直交する方向に延び、収納容器の連結部及び連結部によって連結される２つの収納室の側壁に先端側で当接する当接部を有することを特徴とする。
【００１８】
本発明の壊れ物運搬容器用支持ユニットは、複数の壊れ物それぞれを収納可能な複数の収納室と、これら収納室のうち互いに隣り合う収納室を連結する連結部とを有する収納容器を支持し、収納容器とともに外装容器内に収納される支持部材を備え、支持部材は、外装容器の底面に対して略直交する方向に延び、収納容器の連結部及び連結部によって連結される２つの収納室の側壁に先端側で当接する当接部を有することを特徴とする。
【００１９】
ここで、当接部及び連結部の当接によって、収納容器を外装容器の少なくとも底面（他には、側面）から離れた位置で支持することにより、外装容器の底面が外力を受けて変形しても、収納容器に突き当たるのを抑制できる。これにより、収納容器や収納容器内の壊れ物が壊れてしまうのを防止できる。
【００２０】
また、２つの収納室の側壁に当接部の先端側を当接させることにより、簡単な構成で、これら収納室の並ぶ方向における収納容器の動きを抑制することができる。
【００２１】
収納容器を受ける受け部材をさらに設け、受け部材に、当接部が貫通し、当接部の少なくとも一部と当接可能な穴部を形成することができる。これにより、当接部が、収納室の側壁と受け部材の穴部に当接することになり、これらの当接によって収納容器の外装容器内での揺れをより効果的に抑制することができる。
【００２２】
受け部材を、収納容器の少なくとも上下面を覆う構成とすることにより、この上下面を覆う領域に、収納容器内に収納される壊れ物に関する情報を表示することができる。また、上下面を覆う領域のそれぞれに穴部を形成でき、収納容器を上下から支持部材によって支持することも可能となる。
【００２３】
穴部を、当接部における長手直交面内の形状（例えば、水平断面形状）に応じた形状とすることにより、穴部及び当接部の当接状態の強度を向上させることができ、穴部及び当接部の当接による受け部材を介した収納容器の揺れを効果的に抑制することができる。
【００２４】
複数の収納室を、第１の方向及び第１の方向と異なる（例えば、略直交する）第２の方向に並べて配置し、連結部を第１及び第２の方向に延びるように形成することにより、外装容器内において、収納容器が第１及び第２の方向に揺れるのを抑制することができる。しかも、第１及び第２の方向の揺れを抑制することで、第１及び第２の方向を含む面内における収納容器の揺れを抑制することもできる。
【００２５】
この場合には、当接部を、第１の方向に延びる第１当接部と、第２の方向に延びる第２当接部とで構成することができる。これにより、すべての収納室の側壁に対して第１当接部や第２当接部を当接させることができ、収納室毎の揺れを抑制でき、収納容器全体の揺れも効率良く抑制することができる。
【００２６】
第２当接部を複数設け、これら第２当接部を第１当接部と交差させることにより、第１当接部及び第２当接部の強度を向上させることができる。
【００２７】
支持部材を外装容器の内側面と当接させて、支持部材を外装容器内で位置決めすることにより、支持部材によって支持される収納容器の位置を外装容器内で固定することができる。
【００２８】
本発明の壊れ物運搬容器では、上述したように外装容器内における収納容器の揺れを効率良く抑制することができるため、壊れ物のなかでも特に壊れやすい生卵を収納容器内に収納することができる。
【発明の効果】
【００２９】
本発明によれば、外装容器の底面に対して略直交する方向に延びる当接部の先端側が収納容器の連結部に当接することで、収納容器を外装容器の底面から離れた位置で支持することができる。また、当接部が連結部によって連結される２つの収納室の側壁に当接することで、これら収納室が並ぶ方向における収納容器の動きを抑制することができる。
【００３０】
これにより、外装容器に外力が加わっても、この外力が収納容器に作用するのを防止できるとともに、外装容器が振り回されても収納容器が外装容器の内壁に衝突するのを防止できる。しかも、簡単な構成で収納容器を支持することができる。
【００３１】
特に、生産者から消費者に直接配送する場合において、本発明の壊れ物運搬容器を用いれば、上述した効果が得られる点で効果的である。
【発明を実施するための最良の形態】
【００３２】
以下、本発明の実施例について説明する。
【実施例１】
【００３３】
本発明の実施例１である壊れ物運搬容器は、以下に説明するように支持部材、運搬箱、収納容器及び受け部材によって構成される。以下、壊れ物運搬容器を構成する各部材について説明する。
【００３４】
まず、本実施例の壊れ物運搬容器における支持部材の構成について、図１から図３を用いて説明する。ここで、図１は本実施例における支持部材の外観斜視図であり、図２は本実施例の支持部材を運搬箱内に配置したときの外観斜視図であり、図３は本実施例における支持部材の一部を分解したときの斜視図である。
【００３５】
本実施例の支持部材１００は、２つの第１支持部材１０と、２つの第２支持部材２０とによって構成されており、図２に示すように運搬箱２００内に収納される。
【００３６】
第１支持部材１０は、運搬箱２００の底面に沿って配置される基台部１１と、基台部１１（運搬箱２００の底面）に対して略直交する方向に延びる第１腕部（第２当接部）１２及び第２腕部１３とを有している。
【００３７】
具体的には、基台部１１の両端それぞれには１対の第２腕部１３が形成されており、この第２腕部１３に対して基台部１１の長手方向内側には１対の第１腕部１２が形成されている。そして、基台部１１の長手方向（第２の方向としてのＹ方向）と略直交する方向（第１の方向としてのＸ方向）において、１対の第１腕部１２が互いに向かい合っているとともに、１対の第２腕部１３が互いに向かい合っている。ここで、Ｘ−Ｙ平面は、運搬箱２００の底面に対して略平行な面である。また、Ｘ方向及びＹ方向は互いに直交する方向である。
【００３８】
第１腕部１２の先端側には、第１腕部１２の長手方向に延びる切欠部１２ａが形成されており、この切欠部１２ａによって第１腕部１２の先端側の領域が二股状に分かれている。第１腕部１２のうち二股状に分かれた部分の一方（第２腕部１３側）を第２支持部材２０の溝部２１に貫通させることにより、切欠部１２ａが第２支持部材２０に形成された第１フランジ部（第１当接部）２２と係合する。
【００３９】
第２腕部１３の先端側には、第２腕部１３の長手方向に延びる切欠部１３ａが形成されており、この切欠部１３ａによって第２腕部１３の先端側の領域が二股状に分かれている。第２腕部１３のうち二股状に分かれた部分の一方（第１腕部１２側）を第２支持部材２０の溝部２１に貫通させることにより、切欠部１３ａが第２支持部材２０に形成された第２フランジ部２３と係合する。
【００４０】
ここで、溝部２１は、第１支持部材１０に形成された第１腕部１２や第２腕部１３の数に相当する数だけ形成されている。
【００４１】
上述したように第２支持部材２０を第１支持部材１０に組み込むことによって、図１に示す支持部材１００が構成される。ここで、図３中の右上の図は、第２支持部材２０が第１支持部材１０に組み込まれる前の状態を示し、図３中の左下の図は、第２支持部材２０が第１支持部材１０に組み込まれた状態を示す。
【００４２】
支持部材１００を運搬箱２００内に収納した状態において、第１支持部材１０の長手方向における両端部（基台部１１及び第２腕部１３の端部を含む）は、運搬箱２００の内側面に当接する。また、第２支持部材２０の長手方向における両端部が、運搬箱２００の内側面に当接する。これにより、支持部材１００は運搬箱２００内において位置決めされた状態で固定される。
【００４３】
ここで、第１支持部材１０の第２腕部１３及び第２支持部材２０の第２フランジ部２３を形成せずに、支持部材１００の端部を運搬箱２００の内側面に当接させることによって、支持部材１００を運搬箱２００内で位置決めすることも可能である。
【００４４】
ただし、本実施例のように第２腕部１３及び第２フランジ部２３を用いることによって、支持部材１００を運搬箱２００内において、より安定した状態で位置決めすることができる。すなわち、第２腕部１３及び第２フランジ部２３によって、支持部材１００のうち運搬箱２００の内側面と当接する部分に強度を持たせることができ、支持部材１００を運搬箱２００内にしっかりと固定することができる。
【００４５】
次に、本実施例の壊れ物運搬容器における収納容器の構成について、図４及び図５を用いて説明する。ここで、図４は収納容器の正面図であり、図５は収納容器の外観斜視図である。
【００４６】
収納容器３００は、第１収納部材３０１及び第２収納部材３０２で構成されており、第１収納部材３０１及び第２収納部材３０２は、この長手方向（Ｘ方向）の一側辺部において互いに連結されている。
【００４７】
第１収納部材３０１に形成された収納室３０ａ〜３０ｅと収納室３０ｆ〜３０ｊは、図４に示すように、Ｘ方向に並んで配置されている。また、収納室３０ａ〜３０ｊのうち２つの収納室（例えば、収納室３０ａ、３０ｆや収納室３０ｂ、３０ｇ）はＹ方向に並んで配置されている。言い換えれば、収納室３０ａ〜３０ｅは、Ｘ方向及びＹ方向において、マトリクス状に配置されている。各収納室３０ａ〜３０ｊは、１つの生卵を収納可能な形状に形成されている。
【００４８】
本実施例の収納容器３００では、合計１０個の生卵を収納することができるようになっている。なお、収納室の数や配置の仕方は適宜設定することができる。例えば、Ｘ方向（又はＹ方向）に一列に並ぶように複数の収納室を設けたり、Ｘ方向及びＹ方向で同じ列数となるように収納室を設けたりすることができる。
【００４９】
複数の収納室３０ａ〜３０ｊのうち、Ｘ方向及びＹ方向において互いに隣り合う収納室（例えば、収納室３０ｂ、３０ｃや収納室３０ｂ、３０ｇ）は、リブ部３１（図４の斜線で示す領域）によって連結されている。そして、収納室３０ａ〜３０ｊ及びリブ部３１は一体的に形成されている。また、リブ部３１は、図４に示すように、Ｘ方向及びＹ方向に延びている。
【００５０】
第２収納部材３０２は、第１収納部材３０１の各収納室３０ａ〜３０ｊに対応した収納室を有しており、この収納室は平面状の底面を有している。
【００５１】
上述した構成の収納容器３００内に複数の生卵を収納する場合には、第１収納部材３０１及び第２収納部材３０２が開いた状態において、第１収納部材３０１に形成された複数の収納室３０ａ〜３０ｊのそれぞれに生卵を配置する。そして、第１収納部材３０１及び第２収納部材３０２を閉じて、互いに固着する。これにより、複数の生卵は、収納容器３００内において、互いに仕切られた状態で収納されることになる。
【００５２】
次に、上述した収納容器３００を覆う受け部材４００の構成について、図６及び図７を用いて説明する。ここで、図６は受け部材の外観斜視図であり、図７は受け部材の底面を示す図である。
【００５３】
受け部材４００は、収納容器３００の上面、底面及び長手方向の側面を覆う形状となっており、この長手方向の両端には、受け止め部４０１が形成されている。受け止め部４０１は、受け部材４００内に収納された収納容器３００が受け部材４００の両端に形成された開口部から抜け出るのを防止するために形成されている。
【００５４】
すなわち、受け部材４００内に収納容器３００を収納した状態において、受け止め部４０１を図６に示すように折り曲げることにより、収納容器３００を受け部材４００内に収納させておくことができる。
【００５５】
また、受け部材４００の表面には、生卵の生産者、製造年月日、賞味期限等といった生卵に関する情報が表示される。
【００５６】
さらに、受け部材４００の底面には、図７に示すように、Ｘ方向及びＹ方向に延びる溝部４０２が形成されている。すなわち、溝部４０２は、Ｘ方向に延びる１つの溝部４０２ａと、この溝部４０２ａと交差してＹ方向に延びる４つの溝部４０２ｂとで構成されている。
【００５７】
なお、本実施例では、受け部材４００を、収納容器３００の上下面及び２つの側面を覆う形状としたが、これに限るものではない。例えば、収納容器３００のうち第１収納部材３０１だけを保持する形状とすることができる。
【００５８】
上述した本実施例の壊れ物運搬容器の構成において、受け部材４００の溝部４０２ａには、支持部材１００における第１フランジ部２２が貫通し、溝部４０２ｂには、支持部材１００における第１腕部１２が貫通する。
【００５９】
ここで、溝部４０２（４０２ａ、４０２ｂ）は、第１フランジ部２２及び第１腕部１２の水平断面形状（図３のＸ−Ｙ平面における断面形状）に対応した形状に形成されており、第１フランジ部２２及び第１腕部１２が貫通した状態において、第１フランジ部２２及び第１腕部１２の側面と当接するようになっている。
【００６０】
溝部４０２を貫通した第１腕部１２及び第１フランジ部２２は、この先端において、収納容器３００の第１収納部材３０１に形成されたリブ部３１に当接する。すなわち、第１腕部１２及び第１フランジ部２２の水平断面形状は、収納容器３００のリブ部３１の形状に対応した形状となるように設定されている。
【００６１】
上述したように第１腕部１２及び第１フランジ部２２は、運搬箱２００の底面に対して略直交する方向に延びているが、この長さは、第１収納部材３０１における各収納室のＺ方向の長さよりも長くなっている。Ｚ方向は、Ｘ方向及びＹ方向に直交する方向であって、運搬箱２００の底面に対して略直行する方向である。上述した構成により、第１腕部１２及び第１フランジ部２２が収納容器３００のリブ部３１に当接することで、収納容器３００を運搬箱２００の底面から離れた位置で収納容器３００を支持することができる。
【００６２】
また、支持部材１００を運搬箱２００内に配置した状態において、第１腕部１２及び第１フランジ部２２は、収納容器３００及び受け部材４００が運搬箱２００の内側面に当接しないような位置に設けられている。すなわち、支持部材１００は、受け部材４００が取り付けられた収納容器３００を、運搬箱２００の内側面から離れた位置で支持するようになっている。
【００６３】
上述したように収納容器３００（受け部材４００を含む）を、運搬箱２００の底面及び側面から離れた位置で支持することにより、運搬箱２００の底面や側面に外力が加わって変形しても、この外力が収納容器３００に働くのを防止することができる。
【００６４】
ここで、運搬箱２００の底面や側面に対する収納容器３００の位置は、適宜設定することができる。なお、運搬箱２００の底面や側面と収納容器３００との距離を長くしすぎると、運搬箱２００が大型化してしまうし、上記距離を短くしすぎると、外力を受けて変形した運搬箱２００の一部が収容容器３００に突き当たってしまう。このため、運搬箱２００に加わり得る外力や運搬箱２００の変形度合い等を考慮した上で、運搬箱２００の底面や側面と収納容器３００との距離を設定することが好ましい。
【００６５】
一方、溝部４０２ｂを貫通した第１腕部１２は、Ｘ方向において互いに隣り合う収納室（例えば、収納室３０ａ、３０ｂ）の側壁に当接するようになっている。これにより、収納容器３００が運搬箱２００内においてＸ方向に動いてしまうのを阻止している。
【００６６】
また、溝部４０２ａを貫通した第１フランジ部２２は、Ｙ方向において互いに隣り合う収納室（例えば、収納室３０ａ、３０ｆ）の側壁に当接するようになっている。これにより、収納容器３００が運搬箱２００内においてＹ方向に動いてしまうのを阻止している。
【００６７】
本実施例において、図８、図９に示すように、収納容器３００（第１収納室３０１）における各収納室のうち、第１腕部１２や第１フランジ部２２と当接可能な領域（連結部３１側の領域）は、第１腕部１２や第１フランジ部２２が有する面（Ｘ−Ｚ平面やＹ−Ｚ平面）と略平行な面となっている。これにより、第１腕部１２や第１フランジ部２２と、各収納室との当接状態を維持でき、収納容器３００のＸ方向やＹ方向の揺れを効率良く抑制することができる。
【００６８】
上述したように、第１腕部１２及び第１フランジ部２２によって収納容器３００のＸ、Ｙ方向の揺れを阻止することで、Ｘ−Ｙ平面内、言い換えれば、第１腕部１２や第１フランジ部２２の長手直交面内における収納容器３００の揺れを阻止することができる。これにより、収納容器３００の収納された運搬箱２００が、仕分けや配送等の段階において振り回されても、収納容器３００が運搬箱２００の内面に衝突するのを防止することができる。
【００６９】
しかも、第１腕部１２や第１フランジ部２２を収納容器３００における収納室の側壁に当接させるといった、簡単な構成で上述した優れた効果を得ることができる。
【００７０】
また、本実施例では、上述したように収納容器３００を覆う受け部材４００に、第１腕部１２及び第１フランジ部２２が貫通する溝部４０２（４０２ａ、４０２ｂ）を形成している。このため、第１腕部１２及び第１フランジ部２２と溝部４０２とが当接することによって、受け部材４００を介して、収納容器３００のＸ−Ｙ平面内での揺れを阻止することができる。すなわち、受け部材４００を用いることにより、受け部材４００を用いない場合に比べて、収納容器３００の運搬箱２００内での揺れを、より効果的に阻止することができる。
【００７１】
ここで、本実施例では、受け部材４００の溝部４０２を第１腕部１２及び第１フランジ部２２の水平断面形状に対応した形状としているが、これに限るものではない。例えば、図７の点線で示すような穴部を受け部材４００に形成することができる。この場合には、穴部が、第１腕部１２のＹ方向における両端部に当接することで、受け部材４００のＹ方向の揺れを抑制することができるとともに、第１フランジ部２２のＸ方向における両端部に当接することで、受け部材４００のＸ方向の揺れを抑制することができる。
【００７２】
本実施例では、図１等に示すように第１腕部１２及び第１フランジ部２２を交差させて構成しているが、これに限るものではない。すなわち、収納容器３００のリブ部３１に当接するとともに、収納容器３００における互いに隣り合う収納室の側壁に当接するものであれば、いかなる構成であってもよい。
【００７３】
例えば、図１０に示すように、運搬箱２００内における収納容器３００のＹ方向の揺れを抑制するための第１突起部５０と、収納容器３００のＸ方向の揺れを抑制するための第２突起部５１とを別々に設けることもできる。
【００７４】
ここで、図１０は、本実施例の変形例を示す図であって、上述した第１突起部及び第２突起部を有する支持部材を運搬箱２００内に収納したときの概略を示す上面図である。
【００７５】
第１突起部５０は、上述した第１フランジ部２２と同様の機能を有するものであり、受け部材を貫通して収納容器３００における収納室（Ｙ方向で隣り合う収納室）の側壁に当接する。また、第２突起部５１は、上述した第１腕部１２と同様の機能を有するものであり、受け部材を貫通して収納容器３００における収納室（Ｘ方向で隣り合う収納室）の側壁に当接する。
【００７６】
一方、本実施例では、第１腕部１２及び第１フランジ部２２をＸ−Ｙ平面内で略直交させているが、これに限るものではない。例えば、第１腕部１２及び第１フランジ部２２を所定の角度をもった状態で交差させることもできる。この場合には、第１腕部１２及び第１フランジ部２２によって仕切られる４つの領域は、互いに大きさの異なる領域を有することになるが、これらの領域内に大きさの異なる収納室（壊れ物）を配置するようにすればよい。
【００７７】
本実施例において、支持部材１００（第１支持部材１０及び第２支持部材２０）は、いかなる材質のものでも形成することができる。例えば、プラスチック等の合成樹脂で形成することができ、この場合には、第１支持部材１０及び第２支持部材２０を一体成型することが可能となる。
【００７８】
また、支持部材１００を段ボール紙で形成すれば、収納容器３００を運搬箱２００内から取り出した後の支持部材１００の処理が容易となる。
【００７９】
すなわち、段ボール紙で支持部材１００を形成した場合には、段ボール紙で形成された運搬箱２００と一緒に処理でき、解体することによって、かさばること無くコンパクトにまとめることができる。このため、従来の発泡スチロール製緩衝部材に比べて、後処理及び環境上において好ましい。
【００８０】
また、一枚の段ボール紙から、少なくとも第１腕部１２及び第１フランジ部２２を有する支持部材を形成することもかのうである。例えば、一枚の段ボール紙を型抜きし、この一部を折り曲げる等によって、第１腕部１２及び第１フランジ部２２を構成することができる。この場合には、一枚の段ボール紙に解体することができ、後処理が容易になる。
【００８１】
一方、収納容器３００の材質としては、支持部材１００によって収納容器３００を支持できるものであれば、いかなる材質を用いてもよい。例えば、収納容器３００を紙製とすることで、紙製の支持部材１００及び運搬箱２００とともに処理することができることになり、後処理及び環境上において好ましい。
【００８２】
さらに、本実施例では、支持部材１００によって収納容器３００を底面側から支持する構成としているが、収納容器３００の底面側及び上面側に支持部材１００を配置した構成としてもよい。この場合には、収納容器３００を覆う受け部材４００の上面にも、溝部４０２に対応した溝部を形成する。
【００８３】
このように構成することで、運搬箱２００内において収納容器３００が水平面内で揺れるのを効率良く抑制することができるとともに、収納容器３００が運搬箱２００内で上下方向に揺れるのを抑制することができる。
【００８４】
また、本実施例では、生卵を収納容器３００内に収納する場合について説明したが、これに限るものではなく、創作生菓子や桃などの壊れ物を収納する場合にも本発明を適用することができる。
【図面の簡単な説明】
【００８５】
【図１】本発明の実施例１である壊れ物運搬容器を構成する支持部材の外観斜視図である。
【図２】上記支持部材を運搬箱内に収納した状態を示す外観斜視図である。
【図３】上記支持部材の一部を分解したときの外観斜視図である。
【図４】実施例１である壊れ物運搬容器を構成する収納容器の正面図である。
【図５】上記収納容器の外観斜視図である。
【図６】実施例１である壊れ物運搬容器を構成する受け部材の外観斜視図である。
【図７】上記受け部材の底面を示す図である。
【図８】収納容器及び支持部材の当接状態を示すＸ−Ｚ平面における断面図である。
【図９】収納容器及び支持部材の当接状態を示すＹ−Ｚ平面における断面図である。
【図１０】実施例１の変形例における支持部材を運搬箱内に収納したときの概略図である。
【符号の説明】
【００８６】
１００：支持部材
１１：第１支持部材
１２：第１腕部（当接部に相当する）
２０：第２支持部材
２２：第１フランジ部（当接部に相当する）
２００：運搬箱（外装容器に相当する）
３００：収納容器
３０ａ〜３０ｊ：収納室
３１：リブ部（連結部に相当する）
【図１】
2006298393.tif 000003
【図２】
2006298393.tif 000004
【図３】
2006298393.tif 000005
【図４】
2006298393.tif 000006
【図５】
2006298393.tif 000007
【図６】
2006298393.tif 000008
【図７】
2006298393.tif 000009
【図８】
2006298393.tif 000010
【図９】
2006298393.tif 000011
【図１０】
2006298393.tif 000012